(57)【要約】【課題】かご枠の吊心と重心の位置調整が容易にでき、しかも大きな範囲で調整できるようにする。【解決手段】立枠１および下梁２と床受け枠４とを、少なくとも一方に水平方向に延びるように形成した長穴１１を介してボルトおよびナット９により連結し、立枠１と腕部材７とを、少なくとも一方に水平方向に延びるように形成した長穴１３を介してボルトおよびナット１２により連結する。これにより、長穴１１，１３を介してかご室側を位置調整できる。また下梁２に、重量を水平方向に移動可能なバランスウエイト１４を取り付けて水平方向の重量バランスを調整できるようにする。【選択図】図１
2009220893.tif 000002
【特許請求の範囲】
【請求項１】
所定の間隔をおいて配設された一対の立枠と、
この一対の立枠の下部に連結された下梁と、
この下枠の上に配設された床受け枠および床部材と、
前記一対の立枠の上部に連結された上梁と、
前記立枠の上下方向の中間部に水平方向に延びるように連結された、かご室を構成する腕部材と、
を備え、
前記立枠および下梁と前記床受け枠とを、少なくとも一方に水平方向に延びるように形成した長穴を介してボルトおよびナットにより連結し、
前記立枠と腕部材とを、少なくとも一方に水平方向に延びるように形成した長穴を介してボルトおよびナットにより連結し、かつ、
前記下梁に、重量を水平方向に移動可能なバランスウエイトを取り付けたこと、
を特徴とするエレベータのかご枠。
【請求項２】
所定の間隔をおいて配設された一対の立枠と、
この一対の立枠の下部に連結された下梁と、
この下枠の上に配設された床受け枠および床部材と、
前記一対の立枠の上部に連結された上梁と、
前記立枠の上下方向の中間部に水平方向に延びるように連結された、かご室を構成する腕部材と、
を備え、
前記立枠および下梁と前記床受け枠とを、少なくとも一方に水平方向に配列した複数個の丸穴から選択した少なくとも一つの丸穴を介してボルトおよびナットにより連結し、
前記立枠と腕部材とを、少なくとも一方に水平方向に配列した複数個の丸穴から選択した少なくとも一つの丸穴を介してボルトおよびナットにより連結し、かつ、
前記下梁に、重量を水平方向に移動可能なバランスウエイトを取り付けたこと、
を特徴とするエレベータのかご枠。
【請求項３】
前記立枠の上下方向に沿って間隔をおいた少なくとも２箇所に、当該かご室の外に配置されて当該かご室を案内するガイドレールに当接する方向に移動可能な位置決め用ボルトを設けたことを特徴とする請求項１または２に記載のエレベータのかご枠。
【請求項４】
所定の間隔をおいて配設された一対の立枠と、
この一対の立枠の下部に連結された下梁と、
この下枠の上に配設された床受け枠および床部材と、
前記一対の立枠の上部に連結された上梁と、
前記立枠の上下方向の中間部に水平方向に延びるように連結された、かご室を構成する腕部材と、
を備え、
前記立枠および下梁と前記床受け枠とを連結し、
前記立枠と腕部材とを連結し、かつ、
前記立枠と前記床受け枠との間に前記補強ベースを介在させ、この補強ベースを、前記立枠とは水平方向に移動できないように連結する一方、前記床受け枠とは水平方向に移動可能に連結したこと、
を特徴とするエレベータのかご枠。
【請求項５】
前記補強ベースの端部と前記立枠の上下方向の中間部とを筋交いにより連結したことを特徴とする請求項４に記載のエレベータのかご枠。
【発明の詳細な説明】
【技術分野】
【０００１】
本発明は、エレベータのかご枠に関するものである。
【背景技術】
【０００２】
既存のエレベータをリニューアルする際に、既設のレールを残して乗りかごを新規に設置する場合や、あるいは昇降路内に建築の柱があるために通常の位置にレールが設置できず、通常の位置から多少ずれた位置にレールを設置して新規にエレベータを設置する場合などにおいては、かご枠を新規品として新しく設計、製造を行なうのが一般的である。
【０００３】
これは、標準仕様の乗りかごでは、メインロープが連結されるかご枠により吊心の位置が固定されているので、標準仕様のかご枠をそのまま使用すると、レールの立て位置の変更に伴い、吊心と重心がずれることになり、乗りかごのバランスが取れなくなって振動発生などの原因となるからである。
【０００４】
しかしながら、上記のように標準外仕様になったときに、その都度かご枠を新規に設計、製造を行なうことは、共通部品が使えないことや、設計、製造リードタイムが長くなることから、コストアップの原因となる。
【０００５】
一方、乗りかごの据付時に既存のレールの建て位置が実際には若干ずれていた場合においても、再度かご枠を構成する用品を作り直したり、現地で構成部品の連結用孔を開け直したりして対応することもある。
【０００６】
このような、かご枠を新規に設計、製造したり、現地で用品を作り直したりする不具合を解消し、現地でかご枠の芯出し作業が効率よく行なえるようにする手段として、例えば特許文献１に記載されているように、縦枠と一体的に設けたブラケットに水平方向に延設される長穴を形成し、床部を形成する床および下枠を縦枠に対して移動可能にボルトで締結するとともに、縦枠をプレートに形成した長穴を介して上梁に対して移動可能にボルトで締結することにより、縦枠と、かご室側の部材との連結部の位置を水平方向に移動可能に構成することが考えられている。
【特許文献１】特開平５−２４６６５８号公報
【発明の開示】
【発明が解決しようとする課題】
【０００７】
しかしながら、上述のように既存のエレベータをリニューアルする際に、既設のレールを残して乗りかごを新規に設置する場合などにおいては、立枠と、かご室側の部材とを長穴を介して連結するのみでは、吊心と重心をほぼ一致させるに十分な位置調整ができない場合があるという問題がある。
【０００８】
本発明は、上述のような従来技術の問題を解決するためになされたものであり、かご枠の吊心と重心の位置調整が容易に行なうことのできるエレベータのかご枠を提供することを目的とする。
【課題を解決するための手段】
【０００９】
上記目的を達成するために本発明に係るエレベータのかご枠の一つの態様は、所定の間隔をおいて配設された一対の立枠と、この一対の立枠の下部に連結された下梁と、この下枠の上に配設された床受け枠および床部材と、前記一対の立枠の上部に連結された上梁と、前記立枠の上下方向の中間部に水平方向に延びるように連結された、かご室を構成する腕部材と、を備え、前記立枠および下梁と前記床受け枠とを、少なくとも一方に水平方向に延びるように形成した長穴を介してボルトおよびナットにより連結し、前記立枠と腕部材とを、少なくとも一方に水平方向に延びるように形成した長穴を介してボルトおよびナットにより連結し、かつ、前記下梁に、重量を水平方向に移動可能なバランスウエイトを取り付けたこと、を特徴とする。
【００１０】
また、本発明に係るエレベータのかご枠の他の一つの態様は、所定の間隔をおいて配設された一対の立枠と、この一対の立枠の下部に連結された下梁と、この下枠の上に配設された床受け枠および床部材と、前記一対の立枠の上部に連結された上梁と、前記立枠の上下方向の中間部に水平方向に延びるように連結された、かご室を構成する腕部材と、を備え、前記立枠および下梁と前記床受け枠とを、少なくとも一方に水平方向に配列した複数個の丸穴から選択した少なくとも一つの丸穴を介してボルトおよびナットにより連結し、前記立枠と腕部材とを、少なくとも一方に水平方向に配列した複数個の丸穴から選択した少なくとも一つの丸穴を介してボルトおよびナットにより連結し、かつ、前記下梁に、重量を水平方向に移動可能なバランスウエイトを取り付けたこと、を特徴とする。
【００１１】
また、本発明に係るエレベータのかご枠の他の一つの態様は、所定の間隔をおいて配設された一対の立枠と、この一対の立枠の下部に連結された下梁と、この下枠の上に配設された床受け枠および床部材と、前記一対の立枠の上部に連結された上梁と、前記立枠の上下方向の中間部に水平方向に延びるように連結された、かご室を構成する腕部材と、を備え、前記立枠および下梁と前記床受け枠とを連結し、前記立枠と腕部材とを連結し、かつ、前記立枠と前記床受け枠との間に前記補強ベースを介在させ、この補強ベースを、前記立枠とは水平方向に移動できないように連結する一方、前記床受け枠とは水平方向に移動可能に連結したこと、を特徴とする。
【発明の効果】
【００１２】
本発明によれば、かご枠の吊心と重心の位置調整を容易に行なうことができる。
【発明を実施するための最良の形態】
【００１３】
以下、本発明によるエレベータのかご枠の実施の形態について図面を参照して説明する。ここで、互いに同一または類似の部分には共通の符号を付して、重複説明は省略する。
【００１４】
［第１の実施の形態］
図１は本発明によるエレベータのかご枠の第１の実施の形態を示す側面図であって、この図の左側がエレベータのかごの出入り口側、この図の右側がエレベータのかごの奥側に対応する。
【００１５】
図１において、立枠１は、断面コの字状をなし、昇降路の壁に上下方向に延びるように設置された一対のガイドレール（図示せず）の近傍に、それぞれ開口側をガイドレールに向けて配設されている。一対の立枠１，１の下部には、断面コの字状の下梁２，２が一対の立枠１，１の下端部を挟むように配設され、ボルトおよびナット（図示せず）により連結されている。また一対の立枠１，１の上部には、断面コの字状の上梁３，３が一対の立枠１，１の上端部を挟むように配設され、ボルトおよびナット（図示せず）により連結されている。この上梁３，３にメインロープ（図示せず）が連結される。
【００１６】
下梁２，２の上には床受け枠４が設置されている。この床受け枠４は、下梁２と立枠１とが連結された隅角位置に水平方向（図示左右方向）に延びるように配設された第1の床受けビーム４ａと、この第１の床受けビーム４ａの水平方向の両端部にそれぞれ連結された第２の床受けビーム４ｂとにより矩形の枠体に構成されている。
【００１７】
この床受け枠４の上に床部材５が設置されている。床部材５は、図示左側に乗降口のシル６が設けられている。
【００１８】
一対の立枠１，１の上部には、それぞれ水平方向に延びる腕部材７，７が連結されている。この腕部材７，７の端部と床受け枠４の角部には、上下方向に延びる支え部材８，８が連結されている。また図示していないが、腕部材７，７の端部同士も支え部材で連結されており、これら腕部材７，７、支え部材８，８、床受け枠４などを利用してかご室が構成される。
【００１９】
ここで、かご室を構成する第１の床受けビーム４ａは、立枠１および下梁２にそれぞれボルトおよびナット９，１０により連結されるが、このボルトおよびナット９，１０による締結構造は、立枠１および下梁２と第１の床受けビーム４ａの少なくとも一方に水平方向に延びるように形成された長穴１１を介した締結構造となっており、立枠１および下梁２に対する第１の床受けビーム４ａの連結位置を水平方向に移動できるように構成されている。
【００２０】
またかご室を構成する腕部材７も、立枠１にボルトおよびナット１２により連結されるが、このボルトおよびナット１２による締結構造においても、立枠１と腕部材７の少なくとも一方に水平方向に延びるように形成された長穴１３を介した締結構造となっている。
【００２１】
したがって立枠１および下梁２に対し、かご室を構成する床受け枠４および腕部材７は、長穴１１，１３を利用して水平方向に移動してボルトおよびナット９，１０，１２により連結することができ、かご枠の重心と吊心を一致させるように位置調整することができる。
【００２２】
さらに下梁２，２の長手方向の中間部には、バランスウエイト１４が設けられている。このバランスウエイト１４は、軸１４ａと、この軸１４ａの両端部に取り付けられたウエイト１４ｂ，１４ｂとを備えており、軸１４ａをネジ棒として全体を回転させたり、または軸１４ａにウエイト１４ｂ，１４ｂを螺合させてウエイト１４ｂ，１４ｂを回転させたり、２個のウエイト１４ｂ，１４ｂの重量を増減したりして下梁２，２の長手方向に直交する水平方向（かご枠の前後方向）に重量を移動させることができるようになっている。
【００２３】
これにより、長穴１１，１３を介したボルトおよびナット９，１２の締結構造による位置調整に加えて、バランスウエイト１４による重心の位置調整を行なうことができ、ボルトおよびナット９，１２の締結構造による位置調整後に、補正のためにバランスウエイト１４により微調整したり、長穴１１，１３を介したボルトおよびナット９，１２の締結構造のみでは、かご枠の重心と吊心を一致させるように位置調整することができないような場合に、バランスウエイト１４による水平方向の重量バランス調整を加えたりすることにより、かご枠の吊心と重心の位置調整を大きな範囲で容易に行なうことができる。
【００２４】
なお、長穴を利用したボルトおよびナットによる締結構造において、かご室の重量が重い場合に構成部品にずれの発生が想定される場合には、立枠１と第１の床受けビーム４ａにずれ防止用ピンを打ち込むことにより対処することができる。
【００２５】
［第２の実施の形態］
図２は本発明によるエレベータのかご枠の第２の実施の形態を示す側面図であって、この図の左側がエレベータのかごの出入り口側、この図の右側がエレベータのかごの奥側に対応する。図２において、本実施の形態が第１の実施の形態と異なる点は、立枠１，１の上下方向に間隔をおいた少なくとも２箇所に、ガイドレール１５に当接する方向に移動可能な位置決め用ボルト１６，１６を設けたところにある。  
かご枠を組立てる場合、まず昇降路の壁に設置されたガイドレール１５に図示しない組立台を取り付け、この組立台に一対の下梁２，２を載置し、この下梁２，２間にガイドレール１５に沿うように立枠１，１を配設して仮固定した後、上梁３，３を仮固定する。
【００２６】
次いで下梁２，２および立枠１，１の隅角部に第１の床受けビーム４ａ，４ａを仮固定し、第１の床受けビーム４ａ，４ａの両端部に第２の床受けビーム４ｂ，４ｂを連結し、さらに腕部材７，７を仮固定した後、ねじれやずれを調整して本固定する。
【００２７】
本実施の形態によれば、位置決め用ボルト１６，１６は、ガイドレール１５に当接する方向に移動可能に設けられているので、この位置決め用ボルト１６，１６の突出量をあらかじめ設定した長さとなるようにナットにより固定しておき、現地で立枠１，１を下梁２，２間に配設して仮固定する際に、位置決め用ボルト１６，１６の先端がガイドレール１５に当たるようにして配設することにより、立枠１，１を正確に位置決めできる。
【００２８】
そしてその後の組立工程で、長穴を介して立枠１，１、下梁２，２、上梁３，３、床受け枠４、腕部材７，７を連結する場合においても、立枠１，１を基準として正確にかつ容易に位置調整しながらかご枠を組み立てることができる。
【００２９】
［第３の実施の形態］
図３は本発明によるエレベータのかご枠の第３の実施の形態を示す側面図であって、この図の左側がエレベータのかごの出入り口側、この図の右側がエレベータのかごの奥側に対応する。図３において、本実施の形態が第１の実施の形態と異なる点の一つは、立枠１と第１の床受けビーム４ａとの間に補強ベース１７を介在させ、この補強ベース１７を、立枠１とは水平方向に移動できないように連結する一方、床受けビーム４ａとは水平方向に移動可能に連結することにある。さらに、この補強ベース１７の端部と立枠１の上下方向の中間部とを筋交い１８により連結する。
【００３０】
筋交い１８は、立枠１に近い方がプレート状で、補強ベース１７に近い方がネジ棒で構成されている。また補強ベース１７にはパイプ１９が固定されている。筋交い１８のネジ棒は、このパイプ１９内を通してナット２０が螺合されることにより補強ベース１７に連結される。
【００３１】
本実施の形態においては、補強ベース１７と立枠１とは、丸穴を介したボルトおよびナット１９による締結構造になっており、水平方向に移動できないように連結されている。また補強ベース１７と床受け枠４とは、第１の床受けビーム４ａ側に水平方向に延びる長穴（図示せず）が形成されていて、この長穴を介したボルトおよびナット２０による締結構造となっていることにより水平方向に移動可能に連結されている。
【００３２】
すなわち立枠１と補強ベース１７は、位置調整できない一体構造であるのに対し、補強ベース１７に長穴を介して連結された床受け枠４側は、水平方向に位置調整できるようになっている。
【００３３】
したがって補強ベース１７の端部と立枠１の上下方向の中間部とに連結された筋交い１８は、位置調整される床受け枠４側には直接連結されていないので、長穴を利用した位置調整の影響を受けることがない。このため、２本の筋交い１８，１８は、立枠１の傾きを調整した後、正規の位置に保持固定することができ、しかも筋交いとしての本来の補強の機能も確実に維持することができる。
【００３４】
［他の実施の形態］
上記実施の形態は単なる例示であって、本発明はこれらに限定されるものではない。
【００３５】
たとえば、第３の実施の形態の補強ベース１７および筋交い１８に係る特徴と、第１の実施形態における長穴に係る特徴または、第２の実施の形態における位置決め用ボルト１６に係る特徴とを組み合わせてもよい。
【００３６】
また、上記実施の形態では、長穴１１，１３を用いることとしたが、変形例として、各長穴１１，１３に代えて複数個の丸穴を水平方向に並べておき、これら複数個の丸穴から適当な位置の一つの丸穴を選択して用いることにより、長穴と同様な位置調整を行なうことができる。
【図面の簡単な説明】
【００３７】
【図１】本発明によるエレベータのかご枠の第１の実施の形態を示す側面図であって、この図の左側がエレベータのかごの出入り口側、この図の右側がエレベータのかごの奥側に対応する。
【図２】本発明によるエレベータのかご枠の第２の実施の形態を示す側面図であって、この図の左側がエレベータのかごの出入り口側、この図の右側がエレベータのかごの奥側に対応する。
【図３】本発明によるエレベータのかご枠の第３の実施の形態を示す側面図であって、この図の左側がエレベータのかごの出入り口側、この図の右側がエレベータのかごの奥側に対応する。
【符号の説明】
【００３８】
１…立枠、２…下梁、３…上梁、４…床受け枠、４ａ…第1の床受けビーム、４ｂ…第２の床受けビーム、５…床部材、６…シル、７…腕部材、８…支え部材、９，１０，１２…ボルトおよびナット、１１，１３…長穴、１４…バランスウエイト、１４ａ…軸、１４ｂ…ウエイト、１５…ガイドレール、１６…位置決め用ボルト、１７…補強ベース、１８…筋交い、１９…パイプ、２０…ナット
【図１】
2009220893.tif 000003
【図２】
2009220893.tif 000004
【図３】
2009220893.tif 000005